(57)【特許請求の範囲】
【請求項１】
光パケット信号を送信する光パケット送信装置と、
入力された光パケット信号の方路を切り替えて出力する光パケットスイッチ装置と、
前記光パケットスイッチ装置の前段および／または後段に設けられ、入力された光パケット信号を増幅する光増幅装置と、
前記光パケットスイッチ装置から出力された光パケット信号を受信する光パケット受信装置と、
前記光パケット送信装置からパケット密度情報、時間平均パワー情報、および消光比情報を収集し、前記光増幅装置からパケット密度情報、時間平均パワー情報、および雑音指数情報を収集し、前記光パケットスイッチ装置からパケット密度情報、時間平均パワー情報、スイッチＯＮ／ＯＦＦ時間比情報、および消光比情報を収集し、前記光パケット受信装置からパケット密度情報および時間平均パワー情報を収集する情報収集部と、
収集された情報に基づいて、各装置において入力または出力された光パケット信号のピークパワーを算出するピークパワー算出部と、
算出されたピークパワーに基づいて、所定の光レベルダイアグラムに従ったピークパワーの光パケット信号が入力または出力されるよう各装置を制御する制御部と、
を備えることを特徴とする光パケット交換システム。
【請求項２】
前記光パケットスイッチ装置は、半導体光増幅器を用いた光パケットスイッチ装置であり、
前記ピークパワー算出部はさらに前記半導体光増幅器の雑音指数情報に基づいてピークパワーを算出することを特徴とする請求項１に記載の光パケット交換システム。
【請求項３】
前記情報収集部は、収集した情報を当該光パケット交換システムが接続された他の光パケット交換システムに転送するとともに、前記他の光パケット交換システムから該システムが収集した情報を受信し、
前記ピークパワー算出部は、さらに前記他の光パケット交換システムからの情報に基づいてピークパワーを算出することを特徴とする請求項１または２に記載の光パケット交換システム。
【請求項４】
前記情報収集部は、当該光パケット交換システムが接続されたＲＯＡＤＭ装置から、前記ＲＯＡＤＭ装置に関する情報を受信し、
前記ピークパワー算出部は、さらに前記ＲＯＡＤＭ装置に関する情報に基づいてピークパワーを算出することを特徴とする請求項１から３のいずれかに記載の光パケット交換システム。
【請求項５】
前記光パケット信号は、一つの波長の光パケット信号または複数の波長の光パケット信号が合波された波長多重光パケット信号であることを特徴とする請求項１から４のいずれかに記載の光パケット交換システム。
【請求項６】
光パケット信号を送信する光パケット送信装置と、
入力された光パケット信号の方路を切り替えて出力する光パケットスイッチ装置と、
前記光パケットスイッチ装置の前段および／または後段に設けられ、入力された光パケット信号を増幅する光増幅装置と、
前記光パケットスイッチ装置から出力された光パケット信号を受信する光パケット受信装置と、
を備える光パケット交換システムにおける光パケット信号のピークパワー制御方法であって、
前記光パケット送信装置からパケット密度情報、時間平均パワー情報、および消光比情報を収集し、前記光増幅装置からパケット密度情報、時間平均パワー情報、および雑音指数情報を収集し、前記光パケットスイッチ装置からパケット密度情報、時間平均パワー情報、スイッチＯＮ／ＯＦＦ時間比情報、および消光比情報を収集し、前記光パケット受信装置からパケット密度情報および時間平均パワー情報を収集するステップと、
収集された情報に基づいて、各装置において入力または出力された光パケット信号のピークパワーを算出するステップと、
算出されたピークパワーに基づいて、所定の光レベルダイアグラムに従ったピークパワーの光パケット信号が入力または出力されるよう各装置を制御するステップと、
を備えることを特徴とするピークパワー制御方法。
【発明の詳細な説明】
【技術分野】
【０００１】
本発明は、光パケット信号に付与された経路情報に従って光スイッチを切り替えることにより、光パケット単位でのパケット交換を可能とする光パケット交換方式に関する。
【背景技術】
【０００２】
波長分割多重（ＷＤＭ：Wavelength Division Multiplexing）を用いた光伝送システムにおいて、波長選択スイッチ（ＷＳＳ：wavelength selective switch）等を用いることで、波長単位のパス切替を行う技術が実用化されている。その次の技術として、切替を行う単位を例えばＩＰパケット（１０ＧＥｔｈｅｒ（10 Gigabit Ethernet（登録商標））信号等）一つ一つという細かい単位とし、各々を光パケットという形式に変換して、超高速の光スイッチで方路切り替えを行う光パケット交換方式が検討されている（例えば、特許文献１参照）。
【０００３】
ＩＰパケットはデータが存在しない間は有意な情報が転送されておらず、その分だけ帯域が無駄になっているが、光パケット交換方式が実現すれば、データが存在しない時間帯を別のパケットが占有できることになる。従って、光パケット交換方式は、伝送路の帯域利用効率を飛躍的に高める可能性があり、将来の技術として有望視されている。
【先行技術文献】
【特許文献】
【０００４】
【特許文献１】特開２００８−２３５９８６号公報
【発明の概要】
【発明が解決しようとする課題】
【０００５】
図１は、光パワーメータに光パケット信号が入力された場合に、光パワーメータによりモニタされる値を説明するための図である。光パワーメータは、通常、時間平均パワーを検出する。従って、ＳＤＨ（Synchronous Digital Hierarchy）信号のような連続信号であれば、常時マーク率が５０％となるよう制御されているため、光パワーメータによるモニタ値は一定である。
【０００６】
これに対し、光パケット信号の場合、パケット毎にデータ量、パケット長が変化するため、光信号が存在する時間帯と、存在しない時間帯とがあり、パケット密度がリアルタイムに変化する。パケット密度とは、パケット長／パケット間隔で定義される値である。図１には、パケット密度が高い場合と、低い場合と、その中間の場合とが図示されている。それぞれの場合において、光パケット信号のピークパワーは同じである。しかしながら、光パワーメータにてモニタされる値は、光パワーメータに入力される光の時間平均パワーであるため、パケット密度に依存する。すなわち、パケット密度が高い場合には、モニタ値は高くなるが、パケット密度が低い場合には、モニタ値は低くなる。
【０００７】
光パケット交換システムに限らず、光伝送システムでは信号品質を確保するために光レベルダイアグラムが設定される。ＳＤＨ信号のような連続信号扱う光伝送システムであれば、時間平均パワーを用いて光レベルダイアグラムを設定すればよい。しかしながら、光パケット信号を扱う光パケット交換システムの場合、時間平均パワーを用いて光レベルダイアグラムを設定するためには、基準となるパケット密度、パケット長を設定する必要がある。しかしながら、常に変化するパケット密度、パケット長の変動範囲をばらつきとして定義する必要があるため、時間平均パワーを用いた光レベルダイアグラムの設定は容易ではない。そのため、光パケット交換システムにおいては、パケット密度、パケット長に依存しないピークパワーを用いて光レベルダイアグラムを設定することが望ましい。
【０００８】
ピークパワーを用いて光レベルダイアグラムを設定した場合、設定した光レベルダイアグラム通りに光パケット信号のピークパワーを制御するために、光パケット信号のピークパワーを求める必要がある。光パケット信号のピークパワーを検出する方法としては、従来よりＷＤＭモニタを用いる方法があるが、例えば１０Ｇｂｐｓの光パケット信号ごとにピークパワーを検出するためには、サブｎｓオーダで応答できるＷＤＭモニタを用いる必要がある。このようなＷＤＭモニタを光パケット交換システムで用いるのはコスト面などを考慮すると現実的ではない。
【０００９】
また、光パケット信号のピークパワーを検出する方法として、オシロスコープを用いる方法がある。図２は、オシロスコープを用いて検出された光パケット信号を示す。図２に示すように、光パケット信号は、プリアンブルとデータとから構成されている。プリアンブルは符号‘１’と‘０’の交番パターンであり、このプリアンブルのピークパワーが光パケット信号の本来のピークパワーとなる。また、データにおいては、符号‘１’が連続している部分は、パワーが本来のピークパワーよりも高く見える。また、符号‘０’が連続している部分は、パワーが本来のピークパワーよりも低く見える。このように、オシロスコープを用いれば光パケット信号のピークパワーを検出することが可能であるが、システム運用中にオシロスコープを用いて測定を行わなければならないことや、システムに組み込むことを考慮すると現実的ではない。
【００１０】
本発明はこうした状況に鑑みてなされたものであり、その目的は、光パケット交換システムにおいて、所定の光レベルダイアグラムに従って好適に光パケット信号のピークパワーを制御できる技術を提供することにある。
【課題を解決するための手段】
【００１１】
上記課題を解決するために、本発明のある態様の光パケット交換システムは、光パケット信号を送信する光パケット送信装置と、入力された光パケット信号の方路を切り替えて出力する光パケットスイッチ装置と、光パケットスイッチ装置の前段および／または後段に設けられ、入力された光パケット信号を増幅する光増幅装置と、光パケットスイッチ装置から出力された光パケット信号を受信する光パケット受信装置と、光パケット送信装置からパケット密度情報、時間平均パワー情報、および消光比情報を収集し、光増幅装置からパケット密度情報、時間平均パワー情報、および雑音指数情報を収集し、光パケットスイッチ装置からパケット密度情報、時間平均パワー情報、スイッチＯＮ／ＯＦＦ時間比情報、および消光比情報を収集し、光パケット受信装置からパケット密度情報および時間平均パワー情報を収集する情報収集部と、収集された情報に基づいて、各装置において入力または出力された光パケット信号のピークパワーを算出するピークパワー算出部と、算出されたピークパワーに基づいて、所定の光レベルダイアグラムに従ったピークパワーの光パケット信号が入力または出力されるよう各装置を制御する制御部とを備える。
【００１２】
光パケットスイッチ装置は、半導体光増幅器を用いた光パケットスイッチ装置であり、ピークパワー算出部はさらに半導体光増幅器の雑音指数情報に基づいてピークパワーを算出してもよい。
【００１３】
情報収集部は、収集した情報を当該光パケット交換システムが接続された他の光パケット交換システムに転送するとともに、他の光パケット交換システムから該システムが収集した情報を受信し、ピークパワー算出部は、さらに他の光パケット交換システムからの情報に基づいてピークパワーを算出してもよい。
【００１４】
情報収集部は、当該光パケット交換システムが接続されたＲＯＡＤＭ（Reconfigurable Add/Drop Multiplexer）装置から、ＲＯＡＤＭ装置に関する情報を受信し、ピークパワー算出部は、さらにＲＯＡＤＭ装置に関する情報に基づいてピークパワーを算出してもよい。
【００１５】
光パケット信号は、一つの波長の光パケット信号または複数の波長の光パケット信号が合波された波長多重光パケット信号であってもよい。
【００１６】
本発明の別の態様は、ピークパワー制御方法である。この方法は、光パケット信号を送信する光パケット送信装置と、入力された光パケット信号の方路を切り替えて出力する光パケットスイッチ装置と、光パケットスイッチ装置の前段および／または後段に設けられ、入力された光パケット信号を増幅する光増幅装置と、光パケットスイッチ装置から出力された光パケット信号を受信する光パケット受信装置と、を備える光パケット交換システムにおける光パケット信号のピークパワー制御方法である。この方法は、光パケット送信装置からパケット密度情報、時間平均パワー情報、および消光比情報を収集し、光増幅装置からパケット密度情報、時間平均パワー情報、および雑音指数情報を収集し、光パケットスイッチ装置からパケット密度情報、時間平均パワー情報、スイッチＯＮ／ＯＦＦ時間比情報、および消光比情報を収集し、光パケット受信装置からパケット密度情報および時間平均パワー情報を収集するステップと、収集された情報に基づいて、各装置において入力または出力された光パケット信号のピークパワーを算出するステップと、算出されたピークパワーに基づいて、所定の光レベルダイアグラムに従ったピークパワーの光パケット信号が入力または出力されるよう各装置を制御するステップとを備える。
【００１７】
なお、以上の構成要素の任意の組合せ、本発明の表現を装置、方法、システム、プログラム、プログラムを格納した記録媒体などの間で変換したものもまた、本発明の態様として有効である。
【発明の効果】
【００１８】
本発明によれば、光パケット交換システムにおいて、所定の光レベルダイアグラムに従って好適に光パケット信号のピークパワーを制御できる。
【図面の簡単な説明】
【００１９】
【図１】光パワーメータに光パケット信号が入力された場合に、光パワーメータによりモニタされる値を説明するための図である。
【図２】オシロスコープを用いて検出された光パケット信号を示す図である。
【図３】本発明の実施形態に係る光パケット交換システムを示す図である。
【図４】光パケットスイッチ装置から出力された光パケット信号のスペクトルを示す図である。
【図５】光パケットスイッチ装置から出力された光パケット信号を示す図である。
【図６】本発明の変形例を説明するための図である。
【図７】本発明のさらに別の変形例を説明するための図である。
【図８】本発明のさらに別の変形例を説明するための図である。
【発明を実施するための形態】
【００２０】
以下、図面を参照しつつ、本発明の実施形態について説明する。
【００２１】
図３は、本発明の実施形態に係る光パケット交換システム１０を示す。図３に示すように、光パケット交換システム１０は、光パケットスイッチ装置１２と、光パケット送信装置１４と、光パケット受信装置１６と、第１光増幅装置１８と、第２光増幅装置２０と、監視制御部２２とを備える。
【００２２】
本実施形態に係る光パケット交換システム１０において扱う光パケット信号は、一つの波長の光パケット信号であってもよいし、複数の波長の光パケット信号が合波された波長多重光パケット信号であってもよい。
【００２３】
光パケット送信装置１４は、クライアントネットワークからクライアント信号を受信する。そして、光パケット送信装置１４は、クライアント信号に宛先情報などを付与することにより光パケット信号を生成し、送信する。
【００２４】
光パケットスイッチ装置１２は、入力された光パケット信号の方路を切り替えて出力する、Ｎ入力×Ｎ出力の光スイッチ装置である。光パケットスイッチ装置１２は、半導体光増幅器（ＳＯＡ：Semiconductor Optical Amplifier）を用いた光パケットスイッチ装置である。
【００２５】
光パケットスイッチ装置１２の前段には第１光増幅装置１８が設けられている。第１光増幅装置１８は、入力された光パケット信号を増幅した後、光パケットスイッチ装置１２の入力ポートに出力する。光パケットスイッチ装置１２の１つの入力ポートには、光パケット送信装置１４から出力された後、第１光増幅装置１８で増幅された光パケット信号が入力される。また、光パケットスイッチ装置１２の他の入力ポートには、ＷＤＭネットワークからの光パケット信号が第１光増幅装置１８で増幅された後、入力される。
【００２６】
光パケットスイッチ装置１２の後段には第２光増幅装置２０が設けられている。第２光増幅装置２０は、光パケットスイッチ装置１２の出力ポートから出力された光パケット信号を増幅する。光パケットスイッチ装置１２の１つの出力ポートから出力された光パケット信号は、第２光増幅装置２０で増幅された後、光パケット受信装置１６に入力される。光パケット受信装置１６は、受信した光パケット信号からクライアント信号を生成し、クライアントネットワークに出力する。また、光パケットスイッチ装置１２の他の出力ポートから出力された光パケット信号は、第２光増幅装置２０で増幅された後、ＷＤＭネットワークに出力される。なお、本実施形態では、光パケットスイッチ装置１２の前段および後段に光増幅装置が設けられているが、前後段のどちらか一方のみに設けられていてもよい。
【００２７】
図４は、光パケットスイッチ装置１２から出力された光パケット信号のスペクトルを示す。ここでは、波長多重光パケット信号のスペクトルを示している。
【００２８】
本光パケット交換システム１０における光パケットスイッチ装置１２、光パケット送信装置１４、光パケット受信装置１６、第１光増幅装置１８および第２光増幅装置２０は、それぞれ、各装置を通過した光パケット信号の密度（パケット密度）と、入力または出力された光パケット信号の時間平均パワーをモニタするように構成されている。時間平均パワーのモニタは、例えば光パワーメータや、ＷＤＭモニタを用いて行うことができる。
【００２９】
監視制御部２２は、情報収集部２４と、ピークパワー算出部２６と、装置制御部２８とを備える。
【００３０】
情報収集部２４は、光パケットスイッチ装置１２から、パケット密度Ｄｓｗ、出力された光パケット信号の時間平均パワーＰａｓｗ、スイッチＯＮ／ＯＦＦ時間比ＴＲｓｗ、雑音指数ＮＦｓｗ、および消光比ＥＲｓｗを収集する。図５は、光パケットスイッチ装置から出力された光パケット信号のスペクトルを示す。スイッチＯＮ／ＯＦＦ時間比ＴＲｓｗとは、図５に示すように、光パケット信号を通過させるために光パケットスイッチ装置１２をＯＮ状態にしている時間と、ＯＦＦ状態にしている時間の比である。光パケットスイッチ装置１２をＯＮ状態にしているとき、図５に示すように、光パケット信号本体にＡＳＥ（Amplified Spontaneous Emission）光が付加された信号が出力される。光パケットスイッチ装置１２がＯＦＦ状態のとき、ＡＳＥ光は遮断される。雑音指数ＮＦｓｗおよび消光比ＥＲｓｗは、光パケットスイッチ装置１２に固有の情報である。
【００３１】
また、情報収集部２４は、光パケット送信装置１４から、パケット密度Ｄｏｓ、出力された光パケット信号の時間平均パワーＰａｏｓ、および消光比ＥＲｏｓを収集する。消光比ＥＲｏｓは、光パケット送信装置１４に固有の情報である。
【００３２】
また、情報収集部２４は、光パケット受信装置１６から、パケット密度Ｄｏｒ、および入力された光パケット信号の時間平均パワーＰａｏｒを収集する。
【００３３】
また、情報収集部２４は、第１光増幅装置１８から、パケット密度Ｄａｍｐ１、出力された光パケット信号の時間平均パワーＰａａｍｐ１、雑音指数ＮＦａｍｐ１を収集する。雑音指数ＮＦａｍｐ１は、第１光増幅装置１８に固有の情報である。
【００３４】
また、情報収集部２４は、第２光増幅装置２０から、パケット密度Ｄａｍｐ２、出力された光パケット信号の時間平均パワーＰａａｍｐ２、雑音指数ＮＦａｍｐ２を収集する。雑音指数ＮＦａｍｐ２は、第２光増幅装置２０に固有の情報である。
【００３５】
また、情報収集部２４は、光パケット受信装置１６から、パケット密度Ｄｏｒ、入力された光パケット信号の時間平均パワーＰａｏｒを収集する。
【００３６】
ピークパワー算出部２６は、各装置から収集された情報に基づいて、各装置において入力または出力された光パケット信号のピークパワーを算出する。以下、各装置ごとにピークパワーの算出式を示す。
【００３７】
下記の（１）式は、光パケット送信装置１４から出力された光パケット信号のピークパワーＰｐｏｓを算出するための式である。
Ｐｐｏｓ＝Ｐａｏｓ／（ＭＲ×Ｄｏｓ）  ・・・（１）
なお、ＭＲは光パケット信号のマーク率であり、クライアントネットワークから送信されるクライアント信号により定まる。
【００３８】
下記の（２）式は、第１光増幅装置１８から出力された光パケット信号のピークパワーＰｐａｍｐ１を算出するための式である。
Ｐｐａｍｐ１＝Ｐａａｍｐ１／（ＭＲ×Ｄａｍｐ１）  ・・・（２）
【００３９】
下記の（３）式は、光パケットスイッチ装置１２から出力された光パケット信号のピークパワーＰｐｓｗを算出するための式である。
Ｐｐｓｗ＝（Ｐａｓｗ−ＡＳＥ１−ＡＳＥｓｗ）／（ＭＲ×Ｄｓｗ）  ・・・（３）
ＡＳＥ１は以下の（４）式で表される。
ＡＳＥ１＝（ＡＳＥａｍｐ１＋ＥＲｏｓ＋ＡＳＥａｃｃ）×ＴＲｓｗ  ・・・（４）
なお、ＡＳＥａｍｐ１は、第１光増幅装置１８で発生するＡＳＥであり、ＡＳＥａｃｃは、光パケットスイッチ装置１２までの累積ＡＳＥである。ＴＲｓｗは、以下の（５）式で表される。
ＴＲｓｗ＝（ＰＬ＋Ｔｏｎ）／（ＰＬ＋ＰＧ）  ・・・（５）
なお、ＰＬはパケット長（ｎｓ）であり、Ｔｏｎはパケット信号の前後のスイッチＯＮ幅（ｎｓ）であり、ＰＧはパケット間隔（ｎｓ）である。
また、ＡＳＥｓｗは、光パケットスイッチ装置１２で発生するＡＳＥである。
【００４０】
下記の（６）式は、第２光増幅装置２０から出力された光パケット信号のピークパワーＰｐａｍｐ２を算出するための式である。
Ｐｐａｍｐ２＝（Ｐａａｍｐ２−ＡＳＥ１−ＡＳＥ２）／（ＭＲ×Ｄａｍｐ２）  ・・・（６）
ＡＳＥ２は下記の（７）式で表される。
ＡＳＥ２＝ＡＳＥｓｗ＋ＡＳＥａｍｐ２  ・・・（７）
なお、ＡＳＥａｍｐ２は、第２光増幅装置２０で発生するＡＳＥである。
【００４１】
下記の（８）式は、光パケット受信装置１６で受信される光パケット信号のピークパワーＰｐｏｒを算出するための式である。
Ｐｐｏｒ＝（Ｐａｏｒ−ＡＳＥ１−ＡＳＥ２）／（ＭＲ×Ｄｏｒ）  ・・・（８）
【００４２】
装置制御部２８は、ピークパワー算出部２６によって算出された各装置におけるピークパワーに基づいて、所定の光レベルダイアグラムに従ったピークパワーの光パケット信号が入力または出力されるよう各装置を制御する。所定の光レベルダイアグラムとは、例えば光パケット交換システム１０の設計時や製造時に定められた光レベルダイアグラムである。例えば、光パケット送信装置１４から出力された光パケット信号のピークパワーが光レベルダイアグラムで設定された値よりも低い場合、装置制御部２８は、出力パワーを高くするよう光パケット送信装置１４に指示を出す。また、例えば第１光増幅装置１８から出力された光パケット信号のピークパワーが光レベルダイアグラムで設定された値よりも低い場合、装置制御部２８は、増幅率を高くするよう第１光増幅装置１８に指示を出す。これにより、設定された光レベルダイアグラム通りに光パケット信号のレベルを調整することができる。
【００４３】
光パケット交換システムにおいては、パケット密度およびパケット長がリアルタイムで変化するため、時間平均パワーに基づいて光パケット信号のレベルを調整することは容易ではない。本実施形態に係る光パケット交換システム１０によれば、ピークパワーに基づいて光パケット信号のレベルを調整できるので、パケット密度、パケット長に依存しない安定した光レベルダイアグラム調整を行うことができる。
【００４４】
図６は、本発明の変形例を説明するための図である。本変形例においては、第１光パケット交換システム１０ａと第２光パケット交換システム１０ｂとがＷＤＭネットワークを介して接続されている。第１光パケット交換システム１０ａおよび第２光パケット交換システム１０ｂは、図３に示す光パケット交換システム１０と同様の構成であってよい。図６に示すように、第１光パケット交換システム１０ａは、第１監視制御部２２ａを備え、第２光パケット交換システム１０ｂは、第２監視制御部２２ｂを備える。
【００４５】
本変形例においては、第１監視制御部２２ａの情報収集部は、収集した各種の情報を第２監視制御部２２ｂの情報収集部に転送するとともに、第２監視制御部２２ｂの情報収集部から転送された情報を受信する。そして、第１監視制御部２２ａのピークパワー算出部は、自システムで収集された情報と、転送された情報とに基づいて、ピークパワーを算出する。例えば、第２光パケット交換システム１０ｂから第１光パケット交換システム１０ａに送られてきた光パケット信号には、第２光パケット交換システム１０ｂの光増幅装置によるＡＳＥ光も付加されている。このような場合、第２光パケット交換システム１０ｂからの情報も考慮することにより、より正確にピークパワーを算出でき、より適切に光パケット信号のレベルを調整できる。
【００４６】
図７は、本発明のさらに別の変形例を説明するための図である。図６で説明した実施例では、第１監視制御部２２ａと第２監視制御部２２ｂが直接情報をやり取りする構成としたが、本変形例では、第１光パケット交換システム１０ａと第２光パケット交換システム１０ｂを統合して監視する統合監視制御部３０を介して情報をやり取りする構成となっている。
【００４７】
図８は、本発明のさらに別の変形例を説明するための図である。本変形例においては、光パケット交換システム１０にＲＯＡＤＭ装置３２が接続されている。ＲＯＡＤＭ装置３２は、波長多重光パケット信号から任意の波長の光パケット信号を分岐し、また、任意の波長の光パケット信号を波長多重光パケット信号に挿入するために、波長選択スイッチ（ＷＳＳ：Wavelength Selective Switch）を備える。波長選択スイッチでは、フォトダイオードで時間平均パワーをモニタし、可変光減衰器（ＶＯＡ：Variable Optical Attenuator）の減衰量を制御して、各波長間のレベルのばらつきをなくすよう制御を行っている。また、ＲＯＡＤＭ装置３２は、光増幅装置を備える。
【００４８】
本変形例において、光パケット交換システム１０における監視制御部２２の情報収集部は、ＲＯＡＤＭ装置３２の波長選択スイッチからＶＯＡ調整値情報および時間平均パワー情報を受信し、ＲＯＡＤＭ装置３２の光増幅装置から、雑音指数情報および時間平均パワー情報を受信する。これらの情報から、ＲＯＡＤＭ装置３２で発生するＡＳＥ情報やパワーの情報が分かるので、監視制御部２２のピークパワー算出部は、ＲＯＡＤＭ装置３２から入力された光パケット信号のピークパワーを算出でき、装置制御部２８は、所定の光レベルダイアグラムに従ったピークパワーの光パケット信号が入力または出力されるよう各装置を制御できる。
【００４９】
また、所定の光レベルダイアグラムを実現するために、光パケット交換システム１０の監視制御部２２からＲＯＡＤＭ装置３２のＶＯＡを調整したり、光増幅装置のゲインを調整するといった制御も可能である。
【００５０】
以上、本発明を実施の形態をもとに説明した。この実施の形態は例示であり、それらの各構成要素や各処理プロセスの組合せによりいろいろな変形例が可能なこと、またそうした変形例も本発明の範囲にあることは当業者に理解されるところである。
【００５１】
例えば、上述の実施形態では、光パケットスイッチ装置１２として半導体光増幅器を用いたものを例示したが、光パケットスイッチ装置１２はこれに限定されず、例えばＭＥＭＳ（Micro Electro Mechanical Systems)を用いたものであってもよい。この場合、光パケットスイッチ装置１２からの雑音指数の収集は不要となる。
【符号の説明】
【００５２】
１０  光パケット交換システム、  １２  光パケットスイッチ装置、  １４  光パケット送信装置、  １６  光パケット受信装置、  １８  第１光増幅装置、  ２０  第２光増幅装置、  ２２  監視制御部、  ２４  情報収集部、  ２６  ピークパワー算出部、  ２８  装置制御部、  ３２  ＲＯＡＤＭ装置。
【図１】
0005688346.tif 000002
【図２】
0005688346.tif 000003
【図３】
0005688346.tif 000004
【図５】
0005688346.tif 000005
【図６】
0005688346.tif 000006
【図７】
0005688346.tif 000007
【図８】
0005688346.tif 000008
【図４】
0005688346.tif 000009